(57)【要約】      （修正有）【課題】正方形状の複数の写真画像と長方形状の複数の写真画像とを整然とレイアウトした写真シールなどの印刷媒体を出力する自動写真作成装置を提供する。【解決手段】印刷媒体である写真シール６００には、写真画像が印刷されていない余剰領域６０３が印刷領域の中心を通って設けられており、この余剰領域６０３が印刷領域の上下方向へ掛け渡されるように配置され、このことによって長方形写真画像と正方形写真画像とが左右２つのグループに分かれるように配置される。このように配置することにより、余剰領域以外の無駄な余白（隙間）を生じることなく、全ての写真画像を美しくレイアウトすることができる。【選択図】図８
2011191516.tif 000002
【特許請求の範囲】
【請求項１】
被写体である利用者を含む像を撮影する撮影手段と、前記撮影手段により得られる撮影画像または当該撮影画像を含む合成画像からなり矩形の形状を有する複数の写真画像を写真として印刷媒体に印刷する出力手段とを備える自動写真作成装置であって、
前記印刷媒体における矩形の形状を有する印刷領域に、前記複数の写真画像が印刷されない余剰領域が生じないように、または生じるべき前記余剰領域が１つであって隣接辺の直交する直角多角形の形状を有するように、前記複数の写真画像のうちの正方形の形状を有する１つ以上の写真画像と長方形の形状を有する複数の写真画像とを配置するレイアウト手段を備え、
前記出力手段は、前記レイアウト手段により配置された複数の写真画像を前記印刷媒体に印刷し出力することを特徴とする、自動写真作成装置。
【請求項２】
前記レイアウト手段は、前記余剰領域を囲む最小の矩形の長辺の長さを、前記印刷領域の長辺または短辺の長さと略同一とし、かつ前記印刷領域の中心または当該中心近傍を含むように前記余剰領域を配置することにより、少なくとも２つのグループに分かれるように前記複数の写真画像を配置することを特徴とする、請求項２に記載の自動写真作成装置。
【請求項３】
前記レイアウト手段は、前記余剰領域が長方形の形状を有するように、前記複数の写真画像を配置することを特徴とする、請求項２に記載の自動写真作成装置。
【請求項４】
前記出力手段は、前記余剰領域内に切り取り線を示す記号を印刷することを特徴とする、請求項２または請求項３に記載の自動写真作成装置。
【請求項５】
前記出力手段は、前記余剰領域内に所定の文字を印刷することを特徴とする、請求項１から請求項４までのいずれか１項に記載の自動写真作成装置。
【請求項６】
前記レイアウト手段は、長方形の形状を有する前記余剰領域を配置し、当該余剰領域の長辺に沿って当該余剰領域内に所定の文字を印刷することを特徴とする、請求項５に記載の自動写真作成装置。
【請求項７】
前記長方形の形状を有する複数の写真画像の長辺の長さは、当該写真画像の短辺の長さに対して２の平方根または当該値の近傍値を乗算した値に等しく、
前記正方形の形状を有する写真画像の辺の長さは、前記長方形の形状を有する複数の写真画像のうち少なくとも１つの写真画像の長辺または短辺の長さに等しいことを特徴とする、請求項１から請求項６までのいずれか１項に記載の自動写真作成装置。
【請求項８】
前記撮影手段による撮影の際に、正方形の形状を有する撮影画像の数または当該数を推定可能な利用者による操作入力を受け付ける第１の入力手段と、
前記印刷媒体に印刷されるべき写真画像の数または当該数を推定可能な利用者による操作入力を受け付ける第２の入力手段とをさらに備え、
前記撮影手段は、前記第１の入力手段により受け付けられる前記操作入力により決定または推定される前記数に応じた回数または当該回数以上の撮影を行うことにより、前記正方形の形状を有する撮影画像を取得し、
前記レイアウト手段は、前記第１の入力手段により決定または推定される前記数の整数倍となる数の前記正方形の形状を有する写真画像を含む前記複数の写真画像を配置することを特徴とする、請求項１から請求項７までのいずれか１項に記載の自動写真作成装置。
【請求項９】
被写体である利用者を含む像を撮影する撮影ステップと、前記撮影ステップにより得られる撮影画像または当該撮影画像を含む合成画像からなり方形の形状を有する複数の写真画像を写真として印刷媒体に印刷する出力ステップとを備える自動写真作成方法であって、
前記印刷媒体における矩形の形状を有する印刷領域に、前記複数の写真画像が印刷されない余剰領域が生じないように、または生じるべき前記余剰領域が１つであって隣接辺の直交する直角多角形の形状を有するように、前記複数の写真画像のうちの正方形の形状を有する１つ以上の写真画像と長方形の形状を有する複数の写真画像とを配置するレイアウトステップを備え、
前記出力ステップでは、前記レイアウトステップにより配置された複数の写真画像を前記印刷媒体に印刷し出力することを特徴とする、自動写真作成方法。
【請求項１０】
請求項９に記載の自動写真作成方法をコンピュータに実行させることを特徴とするプログラム。
【請求項１１】
撮影画像または撮影画像を含む合成画像からなる写真画像が印刷された方形の形状を有する印刷領域を備える印刷媒体であって、
前記写真画像は、正方形の形状を有する１つ以上の第１の画像および長方形の形状を有する複数の第２の画像からなり、
前記印刷領域には、前記写真画像が印刷されない余剰領域が生じないように、または生じるべき前記余剰領域が１つであって隣接辺の直交する直角多角形の形状を有するように配置された前記第１および第２の画像が印刷されていることを特徴とする、印刷媒体。
【請求項１２】
前記印刷領域には、前記余剰領域を囲む最小の矩形の長辺の長さを、当該印刷領域の長辺または短辺の長さと略同一とし、かつ前記余剰領域の中心を当該印刷領域の中心に略一致させるように前記余剰領域を配置することにより、少なくとも２つのグループに分かれるように前記複数の写真画像が配置され、前記余剰領域内に所定の文字および切り取り線を示す記号のうち少なくとも一方が印刷されていることを特徴とする、請求項１１に記載の印刷媒体。
【請求項１３】
方形の形状を有する印刷領域に、撮影画像または撮影画像を含む合成画像からなる写真画像を印刷するための印刷レイアウト方法であって、
前記印刷領域に、前記写真画像が印刷されない余剰領域が生じないように、または生じるべき前記余剰領域が１つであって隣接辺の直交する直角多角形の形状を有するように、前記複数の写真画像のうちの正方形の形状を有する１つ以上の写真画像と長方形の形状を有する複数の写真画像とを配置することを特徴とする、印刷レイアウト方法。
【発明の詳細な説明】
【技術分野】
【０００１】
本発明は、自動写真作成装置に関し、より詳しくは、利用者をカメラで撮影し、その撮影画像に基づき生成される合成画像を写真等として出力する自動写真作成装置に関する。
【背景技術】
【０００２】
従来より、利用者をカメラで撮影し、その撮影画像を写真として出力する遊技用写真作成装置が知られている。このような遊技用写真作成装置は、撮影画像と合成すべき画像（以下「付加画像」という）を、利用者の嗜好に応じて、予め用意された多種多様な背景画像および前景画像から選択したり、タッチペン等のペン型入力装置を用いて利用者が自由に描いたりできるように構成されるなど、遊技性または娯楽性を高める工夫がなされている。また、利用者を複数回撮影することにより得られる複数の撮影画像または合成画像（以下「写真画像」という）が同一の写真シールに印刷されるような構成がある。
【０００３】
例えば、従来の遊技用写真作成装置には、１枚の写真シールに複数の写真領域が所定の位置に配置される複数の異なる分割レイアウトのパターンを予め記憶しており、利用者により或る分割レイアウトが選択されると、選択された分割レイアウトにおける各写真領域に対して複数の上記写真画像が順番に割り当てられた１枚の写真シールが印刷される構成がある。
【０００４】
さらに、従来の遊技用写真作成装置には、同一のゲーム時間内において友人同士など２人以上の利用者により撮影される場合、その利用者数に応じて複数の領域に分けられた分割レイアウトのパターンを予め記憶しており、それぞれの利用者に同種類の写真画像が同数割り当てられる構成がある。例えば写真シールの上半分と下半分とに同一の８分割パターンがレイアウトされた２人用の１６分割パターンが記憶される構成では、写真シールの上半分と下半分とに同種類の写真画像が同数となるよう割り当てられた１枚の写真シールが印刷される。
【０００５】
また、上記のような固定的なレイアウトではなく、利用者が好むレイアウトとなるよう工夫された構成であって、重点的に配置したい写真画像が利用者によって選択され、選択された写真画像が重点的に配置された印刷媒体が出力される構成もある（特許文献１を参照）。
【先行技術文献】
【特許文献】
【０００６】
【特許文献１】特開２００４−３２２１３号公報
【発明の概要】
【発明が解決しようとする課題】
【０００７】
ここで、上記従来の遊技用写真作成装置では、レイアウトされる写真画像は互いに同一の形状または相似の形状であることが多い。特別にトリミング等を行わない限り、撮影画像の形状により写真画像の形状が規定されるからである。通常この形状は長方形であり、分割の便宜からその長辺に対する短辺の比率は約１／１．４に設定されることが多い。
【０００８】
この点、利用者は、上記のような同一または相似の形状を有する複数の写真画像とは異なる形状を有する写真画像を欲することがあり、特に正方形状の写真画像は利用者のニーズが高い。
【０００９】
しかし、予め定められた長方形状の印刷範囲内に印刷されるよう、正方形状の複数の写真画像と長方形状の複数の写真画像とを、いびつな隙間を生じることなく整然と美しくレイアウトすることは難しい。
【００１０】
そこで、本発明の目的は、正方形状の１つ以上の写真画像と長方形状の複数の写真画像とを整然とレイアウトした写真シールなどの印刷媒体を出力する自動写真作成装置を提供することである。
【課題を解決するための手段】
【００１１】
第１の発明は、被写体である利用者を含む像を撮影する撮影手段と、前記撮影手段により得られる撮影画像または当該撮影画像を含む合成画像からなり矩形の形状を有する複数の写真画像を写真として印刷媒体に印刷する出力手段とを備える自動写真作成装置であって、
前記印刷媒体における矩形の形状を有する印刷領域に、前記複数の写真画像が印刷されない余剰領域が生じないように、または生じるべき前記余剰領域が１つであって隣接辺の直交する直角
多角形の形状を有するように、前記複数の写真画像のうちの正方形の形状を有する１つ以上の写真画像と長方形の形状を有する複数の写真画像とを配置するレイアウト手段を備え、
前記出力手段は、前記レイアウト手段により配置された複数の写真画像を前記印刷媒体に印刷し出力することを特徴とする。
【００１２】
第２の発明は、第１の発明において、
前記レイアウト手段は、前記余剰領域を囲む最小の矩形の長辺の長さを、前記印刷領域の長辺または短辺の長さと略同一とし、かつ前記印刷領域の中心または当該中心近傍を含むように前記余剰領域を配置することにより、少なくとも２つのグループに分かれるように前記複数の写真画像を配置することを特徴とする。
【００１３】
第３の発明は、第２の発明において、
前記レイアウト手段は、前記余剰領域が長方形の形状を有するように、前記複数の写真画像を配置することを特徴とする。
【００１４】
第４の発明は、第２または第３の発明において、
前記出力手段は、前記余剰領域内に切り取り線を示す記号を印刷することを特徴とする。
【００１５】
第５の発明は、第１から第４までのいずれか１つの発明において、
前記出力手段は、前記余剰領域内に所定の文字を印刷することを特徴とする。
【００１６】
第６の発明は、第５の発明において、
前記レイアウト手段は、長方形の形状を有する前記余剰領域を配置し、当該余剰領域の長辺に沿って当該余剰領域内に所定の文字を印刷することを特徴とする。
【００１７】
第７の発明は、第１から第６までのいずれか１つの発明において、
前記長方形の形状を有する複数の写真画像の長辺の長さは、当該写真画像の短辺の長さに対して２の平方根または当該値の近傍値を乗算した値に等しく、
前記正方形の形状を有する写真画像の辺の長さは、前記長方形の形状を有する複数の写真画像のうち少なくとも１つの写真画像の長辺または短辺の長さに等しいことを特徴とする。
【００１８】
第８の発明は、第１から第７までのいずれか１つの発明において、
前記撮影手段による撮影の際に、正方形の形状を有する撮影画像の数または当該数を推定可能な利用者による操作入力を受け付ける第１の入力手段と、
前記印刷媒体に印刷されるべき写真画像の数または当該数を推定可能な利用者による操作入力を受け付ける第２の入力手段とをさらに備え、
前記撮影手段は、前記第１の入力手段により受け付けられる前記操作入力により決定または推定される前記数に応じた回数または当該回数以上の撮影を行うことにより、前記正方形の形状を有する撮影画像を取得し、
前記レイアウト手段は、前記第１の入力手段により決定または推定される前記数の整数倍となる数の前記正方形の形状を有する写真画像を含む前記複数の写真画像を配置することを特徴とする。
【００１９】
第９の発明は、被写体である利用者を含む像を撮影する撮影ステップと、前記撮影ステップにより得られる撮影画像または当該撮影画像を含む合成画像からなり方形の形状を有する複数の写真画像を写真として印刷媒体に印刷する出力ステップとを備える自動写真作成方法であって、
前記印刷媒体における矩形の形状を有する印刷領域に、前記複数の写真画像が印刷されない余剰領域が生じないように、または生じるべき前記余剰領域が１つであって隣接辺の直交する直角多角形の形状を有するように、前記複数の写真画像のうちの正方形の形状を有する１つ以上の写真画像と長方形の形状を有する複数の写真画像とを配置するレイアウトステップを備え、
前記出力ステップでは、前記レイアウトステップにより配置された複数の写真画像を前記印刷媒体に印刷し出力することを特徴とする。
【００２０】
第１０の発明は、第９の発明に記載の自動写真作成方法をコンピュータに実行させることを特徴とするプログラムである。
【００２１】
第１１の発明は、撮影画像または撮影画像を含む合成画像からなる写真画像が印刷された方形の形状を有する印刷領域を備える印刷媒体であって、
前記写真画像は、正方形の形状を有する１つ以上の第１の画像および長方形の形状を有する複数の第２の画像からなり、
前記印刷領域には、前記写真画像が印刷されない余剰領域が生じないように、または生じるべき前記余剰領域が１つであって隣接辺の直交する直角多角形の形状を有するように配置された前記第１および第２の画像が印刷されていることを特徴とする。
【００２２】
第１２の発明は、第１１の発明において、
前記印刷領域には、前記余剰領域を囲む最小の矩形の長辺の長さを、当該印刷領域の長辺または短辺の長さと略同一とし、かつ前記余剰領域の中心を当該印刷領域の中心に略一致させるように前記余剰領域を配置することにより、少なくとも２つのグループに分かれるように前記複数の写真画像が配置され、前記余剰領域内に所定の文字および切り取り線を示す記号のうち少なくとも一方が印刷されていることを特徴とする。
【００２３】
第１３の発明は、方形の形状を有する印刷領域に、撮影画像または撮影画像を含む合成画像からなる写真画像を印刷するための印刷レイアウト方法であって、
前記印刷領域に、前記写真画像が印刷されない余剰領域が生じないように、または生じるべき前記余剰領域が１つであって隣接辺の直交する直角多角形の形状を有するように、前記複数の写真画像のうちの正方形の形状を有する１つ以上の写真画像と長方形の形状を有する複数の写真画像とを配置することを特徴とする。
【発明の効果】
【００２４】
上記第１の発明によれば、矩形の形状を有する印刷領域に、複数の写真画像が印刷されない余剰領域が生じないように、または生じるべき余剰領域が１つであって隣接辺の直交する直角多角形の形状を有するように、正方形の形状を有する１つ以上の写真画像と長方形の形状を有する複数の写真画像とを配置するので、余剰領域が生じない場合はもちろん、１つ生じる場合であっても、当該余剰領域以外の無駄な余白（隙間）を生じることなく、正方形および長方形の写真画像を美しくレイアウトすることができる。
【００２５】
上記第２の発明によれば、印刷領域の中心または当該中心を通って印刷領域を架け渡されるように余剰領域が配置されることになるので、少なくとも２つのグループに分かれるように複数の写真画像が配置される。このことから、全ての写真画像を美しくレイアウトすることができるだけでなく、この余剰領域に沿って印刷媒体を切断することができるため、写真画像を（典型的には利用者の人数に応じて）少なくとも２つのグループに切り分けやすくすることができる。
【００２６】
上記第３の発明によれば、余剰領域が長方形の形状を有するので、さらに美しくレイアウトすることができるとともに、上記長方形をまっすぐに切断すればよいことから、印刷媒体の切断がさらに容易になるため、写真画像を少なくとも２つのグループにさらに切り分けやすくすることができる。
【００２７】
上記第４の発明によれば、余剰領域内に切り取り線を示す記号（例えば点線など）が印刷されるので、利用者は当該切り取り線に沿って印刷媒体を簡単に切断することができる。
【００２８】
上記第５の発明によれば、余剰領域内に所定の文字（例えばＵＲＬなど）が印刷されるので、当該文字による利用者への情報伝達を図ることができ、余剰領域を有効に活用することができる。
【００２９】
上記第６の発明によれば、長方形の形状を有する余剰領域を配置し、当該余剰領域の長辺に沿って当該余剰領域内に所定の文字が印刷されるので、利用者はこの文字上または文字の配列方向に沿って印刷媒体を簡単に切断することができ、かつ当該文字による利用者への情報伝達を図ることができる。
【００３０】
上記第７の発明によれば、長方形の写真画像の長辺の長さは、その短辺の長さに対して２の平方根または当該値の近傍値を乗算した値に等しく、正方形の写真画像の辺の長さは、長方形の長辺または短辺の長さに等しいので、異なる大きさの長方形の写真画像を余剰領域以外の余白（隙間）を生じることなく美しくレイアウトすることができ、かつ正方形写真画像のレイアウトも余剰領域以外の余白（隙間）を生じることなく美しくレイアウトすることができる。
【００３１】
上記第８の発明によれば、印刷されるべき写真画像の数または当該数を推定可能な利用者による操作入力を受け付ける第２の入力手段とは別に、撮影の際に、第１の入力手段において正方形の形状を有する撮影画像の数または当該数を推定可能な利用者による操作入力を受け付け、撮影手段により正方形の撮影画像が取得され、第１の入力手段により決定または推定される数の整数倍となる数の正方形の形状を有する写真画像を含む写真画像が配置されるので、第２の入力手段による入力時点で正方形写真画像の数を特に指定する必要がなくなる。よって、利用者のレイアウト選択が容易になる。また撮影時に正方形写真画像に対応する正方形の撮影画像が取得されるので、長方形写真画像から正方形写真画像を生成するためのトリミング等の画像処理が必要なくなる。
【００３２】
上記第９の発明によれば、上記第１の発明と同様の効果を当該方自動写真作成方法において奏することができる。
【００３３】
上記第１０の発明によれば、上記第１の発明と同様の効果を当該プログラムにおいて奏することができる。
【００３４】
上記第１１の発明によれば、上記第１の発明と同様の効果を当該印刷媒体において奏することができる。
【００３５】
上記第１２の発明によれば、印刷領域の中心または当該中心を通って印刷領域を架け渡されるように余剰領域が配置されることになるので、少なくとも２つのグループに分かれるように複数の写真画像が配置される。このことから、全ての写真画像を美しくレイアウトすることができるだけでなく、この余剰領域に沿って印刷媒体を切断することができるため、写真画像を少なくとも２つのグループに切り分けやすくすることができる。さらに、余剰領域内に所定の文字または切り取り線を示す記号が印刷されるので、切り取り線が印刷される場合にはそれに沿って印刷媒体を簡単に切断することができ、文字が印刷される場合には、当該文字による利用者への情報伝達を図ることができる。
【００３６】
上記第１３の発明によれば、上記第１の発明と同様の効果を当該印刷レイアウト方法において奏することができる。
【図面の簡単な説明】
【００３７】
【図１】本発明の一実施形態に係る自動写真作成装置である遊戯用写真作成装置の外観を示す図である。
【図２】上記実施形態における撮影ユニットの正面図である。
【図３】上記実施形態における編集ユニットの正面図である。
【図４】上記実施形態に係る遊戯用写真作成装置の要部を機能面から見た構成を示すブロック図である。
【図５】上記実施形態における撮影処理の処理手順を示すフローチャートである。
【図６】上記実施形態における編集処理の処理手順を示すフローチャートである。
【図７】上記実施形態における写真シールおよびその印刷領域の大きさを示す図である。
【図８】上記実施形態における長方形および正方形の写真画像をレイアウトするための分割パターンを示す図である。
【図９】上記実施形態における、異なる大きさの長方形写真画像と正方形写真画像とをレイアウトするための分割パターンの一例を示す図である。
【図１０】上記実施形態における、異なる大きさの長方形写真画像と正方形写真画像とをレイアウトするための分割パターンの他の例を示す図である。
【図１１】上記実施形態における切り取り線が印刷された写真シールの外観を簡略に示す図である。
【図１２】上記実施形態におけるＵＲＬを示す文字が印刷された写真シールの外観を簡略に示す図である。
【図１３】上記実施形態の第１の主たる変形例における写真シールおよびその印刷領域の大きさを示す図である。
【図１４】上記実施形態の第１の主たる変形例において、長方形および正方形の写真画像をレイアウトするための分割パターンの例を示す図である。
【図１５】上記実施形態の第２の主たる変形例において、長方形および正方形の写真画像をレイアウトするための分割パターンの例を示す図である。
【発明を実施するための形態】
【００３８】
以下、添付図面を参照しつつ本発明の一実施形態について説明する。
＜１．全体構成＞
図１は、本発明の一実施形態に係る自動写真作成装置である遊戯用写真作成装置の外観を示す図である。より詳細には、図１（ａ）は、この遊戯用写真作成装置を横から見た外観側面図であり、図１（ｂ）は、上から見た外観平面図である。この遊戯用写真作成装置は、利用者が入る撮影室２と、利用者を撮影し背景画像および前景画像の選択を受け付ける撮影ユニット３と、利用者による落書き（描画操作）を含む編集操作を受け付け撮影画像に合成した合成画像を生成する編集ユニット４と、合成画像を出力する出力ユニット５とを備えている。図２は、撮影ユニット３の正面図であり、図３は、編集ユニット４の正面図である。以下、図１から図３を参照しつつ、本実施形態における遊戯用写真作成装置の全体構成について説明する。
【００３９】
撮影室２は、略直方体形状であって、撮影ユニット３は、内部に入る利用者から見て前の面である撮影室２の前面に沿って配置されている。なお、撮影室２の左右両側面の一部には、それぞれ利用者が出入りするための開口部と、当該開口部の一部または全部を覆う遮光カーテンとが設けられている。また、撮影室２の内部に入る利用者から見て後ろの面である背面には電動ロールカーテン装置２５が配置されている。
【００４０】
撮影ユニット３は、利用者を撮影する撮像手段としてのカメラ１０と、当該カメラ１０の上下左右の位置に配置され閃光を発するストロボ１１，１２，１３Ｌ，１３Ｒ，１４と、当該カメラ１０の下方に配置され利用者からの操作の受け付けや撮影画像の表示等を行う撮影操作用タッチパネル２０とを備えている。
【００４１】
カメラ１０は、典型的には、ＣＣＤ（電荷結合素子）を利用してデジタル画像信号を生成するデジタルカメラであって、利用者を撮影し、その撮影画像を表す画像信号を出力する。ストロボ１１〜１４は、撮影のための充分な光を得るために利用者に向かって閃光を発する。撮影操作用タッチパネル２０は、撮影の際に利用者による各種操作を受け付けるための操作画面を提供するとともに、上記画像信号に基づく画像をリアルタイムで表示するように構成されている。
【００４２】
撮影操作用タッチパネル２０には、リアルタイムで撮影画像を表示するためのリアルタイムプレビュー領域、ポーズの見本を表示するためのポーズ見本表示領域、および撮影によって得られる落書き対象画像を表示するための落書き対象画像表示領域などを含む画面が表示される。
【００４３】
また撮影ユニット３は、コンピュータを中心に構成され各部の制御等を行う制御装置、Ｉ／Ｏ制御装置、および編集ユニット４と通信を行うためのネットワークアダプタ等を内蔵している。また、撮影ユニット３は、前面下方にコイン投入口２６を備えている。
【００４４】
編集ユニット４は、撮影ユニット３と同様のコンピュータを中心に構成され各部の制御等を行う制御装置、および撮影ユニット３等と通信を行うためのネットワークアダプタ等を内蔵している。また、編集ユニット４は、図１（ｂ）に示すように、２組の利用者がプレイ可能なように２つのユニット４ａ、４ｂに分かれている。そのうちの一方のユニット４ａには、落書き領域や落書きのためのメニュー、ツール等を表示する領域を含む編集操作用タッチパネル４００と、当該編集操作用タッチパネル４００に対する操作に使用されるタッチペン４９Ｌ、４９Ｒとが設けられている。なお、他方のユニット４ｂについても同様の構成となっている。ここで図１（ａ）において手前に見えるユニット４ａを「落書きブースＡ」と呼び、その反対側（図では裏側）のユニット４ｂを「落書きブースＢ」と呼ぶ。
【００４５】
本実施形態における編集操作用タッチパネル４００は、各ユニット４ａ、４ｂにおいてそれぞれ２人の利用者が同時に落書きを行えるような画面構成となっている。なお、本説明においては、左側の利用者が使用する構成要素には「Ｌ」を含む参照符号を付し、右側の利用者が使用する構成要素には「Ｒ」を含む参照符号を付している。
【００４６】
出力ユニット５は、典型的には携帯電話端末に備えられる赤外線ポートを使用して行われるような近距離で接触を要しない通信（以下「非接触通信」という）により、利用者の携帯電話端末に画像を送信する際に利用者によって操作される出力操作用タッチパネル３０と、出力操作用タッチパネル３０の下方に配置され上記画像送信のための赤外線通信を行う非接触通信ポート３１と、上記非接触通信の際に必要な操作方法や効果音などを音声によって利用者に知らせるスピーカ３２とを備えている。また、出力ユニット５は、前面下方に、編集ユニット４で編集操作が行われた合成画像を印刷した写真シールや写真カード等を取り出す取出口３３を備えている。
【００４７】
出力操作用タッチパネル３０は、利用者が合成画像を印刷された写真シールを携帯電話端末でも見たい場合に、上記非接触通信機能を備えた携帯電話端末に送信するのに必要な各種操作を受け付けるための操作画面を提供するように構成されていている。
【００４８】
このような出力ユニット５は、撮影ユニット３と同様のコンピュータを中心に構成され各部の制御等を行う制御装置および編集ユニット４等と通信を行うためのネットワークアダプタ等を内蔵しているほか、合成画像を写真シールとして印刷するネットワークプリンタ３５を備えている。
【００４９】
以上のような構成において、利用者は、撮影室２において撮影を行った後、編集ユニット４の落書きブースＡまたは落書きブースＢの編集操作用タッチパネル４００を使用することにより、撮影画像に基づいて生成された落書き対象画像に対して落書きを行う。そして、利用者は、落書きによって生成された合成画像をネットワークプリンタによって印刷したり、非接触通信機能を有する携帯電話端末に非接触通信を利用して画像を送信し、携帯電話端末で受信した画像を端末画面に表示させたりする。
【００５０】
＜２．機能的構成＞
図４は、本実施形態に係る遊戯用写真作成装置の要部を機能面から見た構成を示すブロック図である。図４に示されるようにこの遊戯用写真作成装置は、機能的には、主として利用者を撮影する処理（撮影処理）を行うための撮影処理部７と、主として落書き対象画像に対する利用者の落書き操作に応じて当該落書き対象画像の編集処理を行うための編集処理部８と、編集処理が行われた落書き対象画像を写真シールとして出力したり、非接触通信を利用して携帯電話端末に出力したりする処理（出力処理）を行う出力処理部９とから構成されている。
【００５１】
撮影処理部７は、第１の制御部７０と、撮像部７１と、第１の表示・操作部７２と、Ｉ／Ｏ制御部７３と、照明部７４と、第１の通信部７５とによって構成されている。編集処理部８は、第２の制御部８０と、第２の表示・操作部８１，８２と、第２の通信部８３とによって構成されている。出力処理部９は、第３の制御部９０と、第３の表示・操作部９１と、印刷出力部９２と、音声出力部９３と、非接触通信部９４と、第３の通信部９５とによって構成されている。ネットワークアダプタである第１、第２および第３の通信部７５，８３，９５は、ＬＡＮ（Local Area Network）であるネットワーク６を介してそれぞれ相互に通信可能となっている。
【００５２】
撮像部７１は、ＣＣＤ等の撮像素子を用いて構成されるカメラ１０に相当し、リアルタイムに画像を取り込んで当該画像（撮影画像）を表す画像信号を出力する。この画像信号は第１の制御部７０に入力されて、その内部のメモリに撮影画像データとして一時的に記憶される。また、この撮影画像データは撮影画像信号として第１の制御部７０から第１の表示・操作部７２に供給され、当該撮影画像信号に基づく撮影画像がリアルタイムに表示される。
【００５３】
第１の表示・操作部７２は、撮影操作用タッチパネル２０に相当し、撮影モードの選択や、撮影画像に合成されるべき背景画像および前景画像（特に正方形用フレームを含むフレーム画像）を選択する操作、シャッター操作等を受け付ける。これらの操作を示す信号は、操作信号として第１の制御部７０に入力される。ここで、利用者を撮影するための（選択された撮影メニューに対応する）所定の処理が開始されると、第１の表示・操作部７２に利用者のための案内が表示され、その後の第１の制御部７０からの指示に基づき、数秒程度の予め決められた時間の経過後にカメラ１０の撮影方向にストロボ１１〜１４から閃光が放たれる。そのとき、利用者の撮影画像を表す信号として撮像部７１から出力される画像信号が第１の制御部７０に入力され、第１の制御部７０内のメモリまたは補助記憶装置としてのハードディスク装置等に撮影画像データとして格納される。
【００５４】
照明部７４は、カメラ１０の上下左右の位置に配置されたストロボ１１，１２，１３Ｌ，１３Ｒ，１４に相当し、第１の制御部７０からの指示に基づきＩ／Ｏ制御部７３によって点灯／消灯および調光が制御される。Ｉ／Ｏ制御部７３は、撮影ユニット３に内蔵されるＩ／Ｏ制御装置に相当し、第１の制御部７０からの指示に基づき、照明部７４を制御する。また、後述のコイン検出部（不図示）からの検出信号等の入力信号を第１の制御部７０へ転送する。第１の通信部７５は、撮影ユニット３に内蔵されるネットワークアダプタに相当し、ネットワーク６を介したデータ送受信の際のインタフェースとして機能する。
【００５５】
第１の制御部７０は、撮影ユニット３に内蔵され、ＣＰＵ、メモリ、フレームバッファ、タイマー、補助記憶装置等を含むコンピュータを中心に構成される制御装置に相当し、内部メモリに格納された所定プログラムをＣＰＵが実行することにより、上述のようにして入力される操作信号等に基づき各部を制御するために、上述のように各部に指示を出す。また撮影された画像に基づいて落書き対象画像を生成する。生成された落書き対象画像はフレームバッファに書き込まれることにより、第１の表示・操作部７２に表示される。さらに、第１の制御部７０は、落書き対象画像に所定の背景画像や前景画像を描画した画像である合成画像を生成する。生成された合成画像はフレームバッファに書き込まれることにより第１の表示・操作部７２に表示される。こうして撮影および合成画像の生成が終了すると、生成された合成画像は利用者の入力操作に応じて適宜選択された後、第１の通信部７５を介して、編集ユニット４に対応する第２の制御部８０へ送られる。
【００５６】
上記の構成要素の他、撮影ユニット３におけるコイン投入口２６に投入されたコインを検出するためのコイン検出部（不図示）が更に撮影ユニット３に設けられており、第１の制御部７０は、コイン検出部での検出結果に基づき、利用者に所定時間だけ撮影や背景画像および前景画像の選択や落書き等、本遊戯用写真作成装置によるプレイを許容するように各部を制御する。このコイン検出部による検出動作やその検出結果に基づく第１の制御部７０による制御動作は、従来の遊戯用写真作成装置と同様であって周知であるので、その詳しい説明を省略する。
【００５７】
第２の制御部８０は、編集ユニット４に内蔵され、ＣＰＵ、メモリ、フレームバッファ、および補助記憶装置等を含むコンピュータを中心に構成される制御装置に相当し、内部メモリに格納された所定プログラムをＣＰＵが実行することにより、編集処理に関する全体の制御を行う。また、第２の制御部８０は、第１の制御部７０から送られてきた撮影画像に対する落書き処理を行うための操作信号に基づき、落書き対象画像に所定画像を描画した画像である合成画像を生成する。生成された合成画像は利用者の指示に応じて対応する第２の表示・操作部８１，８２に表示される。上記のような合成画像の生成が終了すると、当該合成画像は出力ユニット５に送られる。なお、印刷出力部９２が別の合成画像を出力中である場合には、その旨が表示されるとともに終了を待って送られる。
【００５８】
第２の表示・操作部８１、８２は、落書きのための編集操作用タッチパネル４００に相当し、タッチペンを用いた利用者の落書きのための操作や、出力されるべき写真のレイアウトを決定するための利用者の後述する操作を受け付ける。第２の通信部８３は、編集ユニット４に内蔵されるネットワークアダプタに相当し、ネットワーク６を介したデータ送受信の際のインタフェースとして機能する。
【００５９】
第３の制御部９０は、出力ユニット５に内蔵され、ＣＰＵ、メモリ、フレームバッファ、タイマー、および補助記憶装置等を含むコンピュータを中心に構成される制御装置に相当し、内部メモリに格納された所定プログラムをＣＰＵが実行することにより、出力処理に関する全体の制御を行う。第３の制御部９０は、第２の制御部８０から送られてきた合成画像を合成画像データとしてメモリに格納する。印刷出力部９２は出力ユニットに内蔵されるネットワークプリンタ３５に相当し、メモリに格納された複数の合成画像データを利用者が選択した態様でレイアウトした写真シール（ここでは写真シールであるものとするが、写真カード等であってもよい）として印刷する。印刷された写真シールは、出力ユニット５の正面下方に設けられた取出口３３から取り出される。
【００６０】
また、第３の制御部９０は、編集ユニット４から送られてきた合成画像に基づいて写真シールの印刷処理を開始すると同時に、利用者が作成した合成画像のデータを携帯電話端末にダウンロードできるように、利用者の入力操作を受け付けるための操作画面を第３の表示・操作部９１に表示する。この第３の表示・操作部９１は出力操作用タッチパネル３０に相当し、受け付けた入力操作を操作信号として第３の制御部９０に入力する入力手段として機能する。
【００６１】
第３の制御部９０は、入力された操作信号に基づき、利用者の携帯電話端末に画像データを送信するように非接触通信部９４に対して指示を出す。非接触通信部９４は非接触通信ポート３１に相当する。上記画像データは、非接触通信部９４から非接触通信方式の赤外線信号として利用者の携帯電話端末に直接送信される。第３の通信部９５は、出力ユニット５に内蔵されるネットワークアダプタに相当し、ネットワーク６を介したデータ送受信の際のインタフェースとして機能する。
【００６２】
ここで、第３の制御部９０は、上記入力操作が行われていない間、補助記憶装置に予め記憶されているデモ画像（デモンストレーション用の画像）やミニゲームの画像等をフレームバッファに書き込むことにより第３の表示・操作部９１に表示する。また音声出力部９３は、スピーカ３２に相当する。音声出力部９３は、第３の表示・操作部９１に表示される操作画面と連動して入力操作方法を利用者に説明し、また第３の表示・操作部９１にデモ画像やミニゲームが表示されているときに楽曲や効果音等を流す。
【００６３】
ここで、各制御装置において実行される上記所定プログラムは、例えば、そのプログラムを記録した記録媒体であるＤＶＤ−ＲＯＭによって提供される。すなわち、上記所定プログラムの記録媒体としてのＤＶＤ−ＲＯＭが補助記憶装置として制御装置内に内蔵されたＤＶＤ−ＲＯＭ駆動装置に装着され、そのＤＶＤ−ＲＯＭから所定プログラムが読み出されて補助記憶装置としてのハードディスク装置にインストールされる。また、上記所定プログラムは、ＤＶＤ−ＲＯＭ以外の記録媒体（ＣＤ−ＲＯＭ等）や通信回線を介して提供されてもよい。そして、本遊戯用写真作成装置の起動のための操作がなされると、ハードディスク装置にインストールされた所定プログラムは、各制御装置内のメモリに転送されてそこに一時的に格納され、各制御装置内のＣＰＵによって実行される。これにより、各制御装置による上記各部の制御処理が実現される。このように本遊戯用写真作成装置は、複数のコンピュータからなるが、上記各制御処理は１つ以上のコンピュータにより実行される構成であればよい。
【００６４】
＜３．遊戯用写真作成装置における処理手順＞
上述したように、この遊戯用写真作成装置には、撮影ユニット３と編集ユニット４と出力ユニット５とが含まれている。撮影ユニット３では撮影処理が行われ、編集ユニット４では編集処理が行われ、出力ユニット５では出力処理が行われる。なお、或る利用者が撮影ユニット３でプレイしている時に他の利用者は編集ユニット４でプレイし、さらに他の利用者は出力ユニット５で合成画像を出力することができるように構成されている。すなわち、この遊戯用写真作成装置は、撮影処理と編集処理と出力処理とを並行して行うことができる。以下、撮影処理および編集処理の処理手順の概要について説明する。
【００６５】
＜３．１  撮影処理＞
図５は、本実施形態における撮影処理の処理手順を示すフローチャートである。この遊戯用写真作成装置が使用されていない時（プレイが行われていない時）には、撮影操作用タッチパネル２０にはデモ画像が表示されている。デモ画像の表示中に利用者がコイン投入口２６にコインを投入すると、プレイが開始される（ステップＳ１００）。
【００６６】
プレイが開始されると、第１の制御部７０は、利用者による撮影モードの選択を受け付ける（ステップＳ１１０）。ステップＳ１１０では、例えば画質（具体的にはコントラストが高いくっきりとした画質、柔らかなふんわりとした画質、または透明感のあるクールな画質のうちのいずれか）を選択し、明るさを選択し、自動で撮影するか手動で撮影するかを選択し、自動で撮影する場合には撮影用テーマの選択が行われる。この場合、第１の制御部７０は、予め用意された複数の撮影用テーマの中から１つ以上の撮影用テーマを利用者に選択させるための画面を撮影操作用タッチパネル２０に表示し、利用者による選択操作を受け付ける。そして、第１の制御部７０は、利用者の選択操作に基づいて選択情報を取得し、選択された撮影用テーマに基づいて、撮影の際に使用する（前景画像となる）フレーム画像と背景との組み合わせを決定する。また手動で撮影する場合は、上記フレームと背景とを利用者が自由に決定する。
【００６７】
ここで利用者により決定される上記フレームとしては、一般的な長方形の写真画像に対して使用される長方形用フレームのほかに、後述する正方形の写真画像に対して使用される正方形用フレームがそれぞれ複数種類用意されており、利用者はこれらの中から所望のフレームを適宜選択することができる。
【００６８】
具体的には、第１の制御部７０は、２人の利用者による３回ずつ合計６種類のフレーム画像の選択操作を受け付ける。この選択操作は利用者によって自由になされるが、ここでは説明の便宜のため、上記選択操作の受け付けが終了した時点で、１つ以上の長方形用フレームと１つ以上の正方形用フレームとが必ず選択されているものとする。
【００６９】
以上のように利用者の選択操作に基づき使用されるフレーム等が選択された後、ステップＳ１２０に進み、撮影が行われる。この撮影により、撮影画像データが第１の制御部７０のメモリに格納される。
【００７０】
なお、上記正方形用フレームが選択された場合、生成される撮影画像データも正方形の写真を示すものとなる。すなわち、長方形用フレームが選択される場合には、長方形の写真画像が取得されるよう撮影が行われ、正方形用フレームが選択される場合には、正方形の写真画像が取得されるよう撮影が行われる。そのため、正方形用フレームが選択される場合には、長方形フレームが選択される場合よりも撮影範囲が限定されることになる。しかし、この撮影範囲は撮影操作用タッチパネル２０に表示されるので、利用者が撮影時に知ることができる。そのため、長方形の写真画像が取得される場合と同様に利用者による位置調整が自ずと行われ、撮影範囲が限定される点についての問題点は生じない。これに対して、全ての写真画像を長方形の画像として取得した後、所望の画像を正方形の画像になるようトリミングする構成であってもよいが、この構成では、装置の処理動作が複雑となり、また利用者にトリミング範囲を選択させるなどの煩瑣な操作を要求することになるなどの問題点がある。よって、撮影時に正方形の写真画像を取得する上記構成が好適である。
【００７１】
次にステップＳ１３０では、撮影画像に基づいて生成された落書き対象画像が、撮影操作用タッチパネル２０に表示される。具体的には、ステップＳ１３０の処理が行われる都度、図２に示した撮影操作用タッチパネル２０の落書き対象画像表示領域に落書き対象画像が順次追加表示される。その後処理はステップＳ１４０に進み、第１の制御部７０は、予め定められた枚数の撮影が終了したか否かを判定する。判定の結果、当該枚数の撮影が終了していればステップＳ１５０に進み、当該枚数の撮影が終了していなければステップＳ１２０に戻る。なお、実際には撮影のための制限時間（例えば３分）が設けられる。
【００７２】
ステップＳ１５０では、複数の落書き対象画像の中から実際の落書き対象となる画像の（利用者による）選択が行われる。具体的には、第１の制御部７０は、落書きおよび印刷に使用する画像を利用者に選択させるために、落書き対象画像の一覧を撮影操作用タッチパネル２０に表示し、利用者による選択操作を受け付ける。したがって、撮影時に正方形用フレームが選択され、正方形の撮影画像が取得される場合であっても、この選択操作により正方形の撮影画像が選択されない場合もあり得る。しかし、ここでは説明の便宜のため、前述したように上記選択操作の終了時点で、１つ以上の長方形の撮影画像と、１つ以上の正方形の撮影画像とが必ず選択されているものとする。そして、第１の制御部７０は、利用者によって選択された画像を実際の落書き対象画像として第２の制御部８０に送る。ステップＳ１５０の終了後、ステップＳ１６０に進む。ステップＳ１６０では、案内画面の表示が行われる。具体的には、第１の制御部７０は、利用者を編集ユニット４のいずれか（４ａまたは４ｂ）に導くための画面を撮影操作用タッチパネル２０に表示する。これにより、撮影処理が終了する。
【００７３】
＜３．２  編集処理＞
図６は、本実施形態における編集処理の処理手順を示すフローチャートである。上述した撮影処理の終了後、第２の制御部８０は、ネットワーク６を介して第１の制御部７０から送られる落書き対象画像（図５のステップＳ１５０で利用者によって選択された画像）を取得する（ステップＳ２００）。その後、タイマーが所定の時間（利用者に落書きを許可する時間）に設定され、カウントダウンが開始される（ステップＳ２１０）。
【００７４】
タイマーのカウントダウン開始後、編集ユニット４では、利用者による落書き操作（描画操作）が受け付けられる（ステップＳ２２０）。この落書きのための各種機能については様々な態様があるが、ここでは周知の態様であるものとして説明を省略する。
【００７５】
その後利用者に落書きを許可する残り時間が６０秒になると、第２の制御部８０は、落書き時間を延長するか否かを判定する（ステップＳ２３０）。落書き時間を延長するか否かは、次にこのユニット４ａまたは４ｂでプレイすることになる利用者が撮影室２にいるか否か（撮影ユニット３で撮影処理が行われているか否か）によって判定される。その結果、落書き時間を延長する旨の判定がなされると、ステップＳ２４０に進む。一方、落書き時間を延長しない旨の判定がなされると、ステップＳ２５０に進む。ステップＳ２４０では、タイマーが所定の時間（利用者に更に落書きを許可する時間）に設定され、再度カウントダウンが開始される。ステップＳ２４０の終了後、ステップＳ２５０に進む。
【００７６】
ステップＳ２５０では、ステップＳ２２０と同様、編集ユニット４で利用者による落書き操作が受け付けられる。そして落書き時間が０になる（終了する）と、出力される写真画像を適宜レイアウトするための分割パターンの選択が行われる（ステップＳ２６０）。
【００７７】
具体的には、第２の制御部８０は、予め用意された複数の分割パターンの中からいずれかの分割パターンを利用者に選択させるための画面を編集操作用タッチパネル４００に表示し、利用者による選択操作を受け付ける。そして、第２の制御部８０は、利用者の選択操作に基づいて、選択情報を取得する。本実施形態では、この分割パターンによって配置される複数の写真画像の中に正方形の写真画像が含まれている点、および写真画像が配置されない余剰領域に所定の情報が記載される点などに特徴を有している。この分割パターンについてはあらためて後述する。なお、選択可能な分割パターンは、例えば２人用、３人用、および多人数用に分かれ、それぞれについて異なる分割数のパターンがそれぞれ数種類ずつ定められる。その後処理はステップＳ２７０に進む。
【００７８】
ステップＳ２７０では、案内画面の表示が行われる。具体的には、第２の制御部８０は、利用者を出力ユニット５に導くための画面を編集操作用タッチパネル４００に表示する。これにより、編集処理が終了する。その後出力ユニット５において前述した出力処理が行われる。次に、レイアウトのための分割パターンについて図７から図１０までを参照して説明する。
【００７９】
＜４．分割パターンの構成＞
図７は、写真シールおよびその印刷領域の大きさを示す図である。図７に示されるように、写真シール６００は、横Ｓａ×縦Ｓｂの大きさを有している。典型的には、写真シールはポストカードサイズであって、Ｓａ＝１４７［ｍｍ］、Ｓｂ＝１００［ｍｍ］である。また、写真シール６００に設定される印刷領域６０１は、ここではそれより小さい横Ｒａ×縦Ｒｂの大きさを有している。
【００８０】
この印刷領域６０１は、印刷可能領域内に、利用者により撮影され落書きされた長方形および正方形の写真画像をレイアウトするために適宜の大きさに設定される矩形領域である。したがって、この印刷領域６０１とは、少なくとも画像が印刷されうる矩形領域を指すが、本明細書における印刷領域とは、全ての写真画像（および後述する余剰領域）を包括する最小の矩形領域をいう。したがって、印刷領域６０１は、出力ユニット５に備えられるネットワークプリンタ３５による印刷可能領域と同一である必要はないが、もちろん同一であってもよい。
【００８１】
また、印刷領域６０１の大きさは、写真シール６００の大きさと等しくてもよいが、通常のプリンタは、写真シール６００周囲の額縁領域に印刷できる構造となっていないことが多い（または印刷できるとしても保守や経済性の観点から好適でないことが多い）ので、一般的には印刷領域６０１は、周囲の印刷不能領域である額縁領域を除く印刷可能領域内の適宜の範囲に設定される。このように設定された印刷領域６０１内には、多くの写真画像が例えば図８に示されるようにレイアウトされる。
【００８２】
図８は、長方形および正方形の写真画像をレイアウトするための分割パターンを示す図である。図８に示される分割パターンでは、斜線により示されている後述する矩形の余剰領域６０３がレイアウトされており、その右側には１０個の長方形の写真画像６１１と５個の正方形の写真画像６１２がレイアウトされており、その左側にも同数の長方形写真画像６１１および正方形写真画像６１２が同様に（余剰領域の長手方向中心線で左右に線対称になるよう）レイアウトされている。その結果、写真画像の総数が３０個となる３０分割レイアウトが実現されている。
【００８３】
なお、図８には印刷領域６０１が示されていないが、前述したように印刷領域６０１は、各写真画像と余剰領域６０３とを包括する最小の矩形領域であるため、その横の長さＲａおよび縦の長さＲｂは、長方形写真画像の短辺の長さをＰａとし、その長辺の長さをＰｂとし、余剰領域の横方向の（短辺の）長さをＭａとするとき、次式（１）の関係を満たすことになる。
Ｒａ＝４×Ｐｂ＋２×Ｐａ＋Ｍａ
Ｒｂ＝５×Ｐａ                  …（１）
【００８４】
また、長方形写真画像６１１の短辺は、正方形写真画像６１２の一辺と等しい長さＰａであり、長方形写真画像６１１の長辺の長さＰｂは長さＰａの約１．４倍である。すなわち、長さＰｂは長さＰａに対して２の平方根またはその近傍値を乗算した値となっている。このように設定すると、異なる大きさの長方形写真画像を余剰領域以外の余白（隙間）を生じることなく美しくレイアウトすることができるようになり、かつ正方形写真画像のレイアウトも余剰領域以外の余白（隙間）を生じることなく美しくレイアウトすることができるようになるという作用と、長方形写真画像を簡単に生成することができるようになるという作用とが生じる。これらの点について図９および図１０を参照して説明する。
【００８５】
図９は、異なる大きさの長方形写真画像と正方形写真画像とをレイアウトするための分割パターンの一例を示す図である。なお、この図９に示される分割パターンによれば、写真画像の総数が２６個となる２６分割レイアウトが実現される。
【００８６】
前述した図８では、長方形写真画像６１２は全て同一の大きさである例が示されているが、図９では、図８に示すと同一の長方形写真画像６１２のほか、その短辺の長さがＰｂであり長辺の長さがＰａの２倍である長方形写真画像６１３と、その短辺の長さがＰａの２倍であり長辺の長さがＰｂの２倍である長方形写真画像６１４と、その短辺の長さがＰｂの１／２であり長辺の長さがＰａである長方形写真画像６１５とが示されている。
【００８７】
このように、長辺の長さが短辺の長さの約１．４倍になるよう設定された長方形を、当該長辺の長さの半分の位置で２つに分割すると、分割された２つの長方形は分割前の長方形の相似形になる。したがって、このような縦横の比率になるよう長方形写真画像の辺の長さを設定すれば、異なる大きさの互いに相似する長方形写真画像を隙間無くレイアウトすることができるので余剰領域以外の無駄な余白（隙間）を生じず、かつ美しくレイアウトすることができる。
【００８８】
そして、上記のように全ての長方形写真画像が互いに相似する形状となるので、撮影され落書きされることにより生成された合成画像を単純に拡大または縮小する（変倍する）だけで、全ての長方形写真画像を生成することができる。よって、当該合成画像のうちの所定の部分を適宜に切り取って（トリミングして）異なる形状の長方形写真画像を生成するなどの画像処理動作が不要となる。よって、上記のようにレイアウトを行うことにより、装置の動作を簡単にすることができる。
【００８９】
さらに、図９に示されるように、長方形写真画像６１１の短辺は、正方形写真画像６１２の一辺と等しい長さＰａであるため、正方形写真画像６１２を図の縦方向へ１つずつ並べることにより無駄なく美しくレイアウトすることができる。
【００９０】
さらにまた、図９に示されるように縦方向へ一列となるよう正方形写真画像６１２を配置しない場合であっても、長方形写真画像の長辺の長さを短辺の長さの約１．４倍とし、長方形写真画像の短辺または長辺の長さと正方形写真画像６１２の一辺の長さを等しくすると、全ての写真画像を無駄なく美しくレイアウトすることができる。
【００９１】
図１０は、異なる大きさの長方形写真画像と正方形写真画像とをレイアウトするための分割パターンの他の例を示す図である。図９に示されるように、正方形写真画像６１２は（図８に示されるような）縦方向へ一列に並ぶ配置とは異なる配置となっている。しかし、図８と同一の余剰領域６０３を配置しつつ、異なる大きさの互いに相似する長方形写真画像６１２、６１３と正方形写真画像６１２とを隙間無くレイアウトすることができるので、無駄な余白（隙間）を生じず、かつ美しくレイアウトすることができる。
【００９２】
なお、この図１０に示す分割パターンは一例に過ぎず、長方形写真画像の長辺の長さを短辺の長さの約１．４倍とし、長方形写真画像の短辺または長辺の長さと正方形写真画像６１２の一辺の長さを等しくすると、単一の余剰領域を適宜に位置に配置しつつ異なる大きさの互いに相似する長方形写真画像６１２、６１３と正方形写真画像６１２とを隙間無くレイアウトすることができるので、無駄な余白（隙間）を生じず、かつ美しくレイアウトすることができる。
【００９３】
次に、図８（および図９、図１０）に示される余剰領域６０３について説明する。この余剰領域６０３は、印刷領域６０１内の画像が印刷されない領域であって、ここでは図の左右２つのグループに複数の写真画像を分かつように、印刷領域６０１の中心を通って上下方向に架け渡されるように設けられている。
【００９４】
この余剰領域の横方向の（短辺の）長さＭａは、上式（１）により定まるが、この余剰領域は不要な余白領域とは異なり、左右２つのグループに複数の写真画像を分かつために或る程度の長さＭａとなるように設定されている。すなわち、（通常は２人以上であることも多いが）ここでは２人で利用される自動写真作成装置における出力ユニット５から出力される１枚の写真シールは、２人の利用者で分けて利用することが多い。このとき、ハサミなどで写真シールを２分割することが多いが、ハサミで写真画像を正確に切り分けることは困難であり、写真画像の一部を誤って切断してしまうこともある。そこで、図８に示されるように、写真画像が印刷されない余剰領域６０３を、写真画像を２つのグループに分かつ位置に設ける。また、切断しやすい程度に十分な大きさの長さＭａとなるよう余剰領域を設ける。そうすれば、当該余剰領域に沿ってハサミなどで写真画像を切り分けることができるので、写真画像の一部を誤って切断してしまうことを防止することができる。
【００９５】
また、この余剰領域６０３には写真画像が印刷されていなければよいので、利用者による切り分けをしやすくするため、図１１に示されるように点線などの切り取り線を印刷してもよい。図１１は、この切り取り線が印刷された写真シールの外観を簡略に示す図である。図１１に示されるように、余剰領域６０３の長辺（ここでは長手方向の中心線）に沿って点線で示される切り取り線６０４が印刷されているので、利用者はこの切り取り線６０４に沿ってハサミなどで写真シール６００を簡単に切断することができる。なお、この切り取り線６０４は切り分けをしやすくするための記号であれば点線でなくてもよい。
【００９６】
また、上記切り取り線に代えてまたはこれと共に、自動写真作成装置に関連する情報（例えば作成した合成画像を取得することができるに構成されたウェブサイトのＵＲＬなど）や、宣伝などを示す文字を余剰領域６０３に印刷してもよい。図１２はこのＵＲＬを示す文字が印刷された写真シールの外観を簡略に示す図である。図１２に示されるように、余剰領域６０３には、その長辺（ここでは長手方向の中心線）に沿って文字６０５が印刷されている。このように文字６０５が印刷されている場合であっても、写真画像が印刷されていない余剰領域６０３が設けられている限り、利用者はこの文字上または文字の配列方向に沿ってハサミなどで写真シール６００を簡単に切断することができ、かつ上記文字６０５による利用者への情報伝達を図ることができる。
【００９７】
なお、余剰領域を情報伝達のために有効利用するという観点からは、余剰領域の短辺方向（またはその他の方向）に沿って文字が印刷される構成でもよく、さらには余剰領域の形状が長方形でなくても、その余剰領域内に文字が印刷される構成であればよい。
【００９８】
＜５．効果＞
以上のように、本実施形態では、写真画像が印刷されていない余剰領域６０３が印刷領域の中心を通るよう設けられており、この余剰領域６０３によって長方形写真画像７１１と正方形写真画像７１２とが左右２つのグループに分かれるように配置される。このように配置することにより、余剰領域以外の無駄な余白（隙間）を生じることなく、全ての写真画像を美しくレイアウトすることができる。
【００９９】
また、この余剰領域６０３に沿って写真シールを切断することができるため、写真画像を２つのグループに切り分けやすくすることができる。さらに余剰領域６０３が長方形であることにより、利用者は当該上記長方形をまっすぐに切断すればよいので、切り分けやすくすることができる。特に余剰領域６０３に切り取り線６０４や文字６０５が印刷される場合には、さらに切り分けやすくすることができる。
【０１００】
＜６．変形例＞
＜６．１  第１の主要な変形例＞
図１３は、本変形例における写真シールおよびその印刷領域の大きさを示す図である。図１３に示されるように、この変形例における写真シール７００は、図７に示されるサイズと同じサイズであるが、この写真シール７００に設定される印刷領域７０１は、図７に示される場合とは異なる横Ｒｎ×縦Ｒｍの大きさを有している。
【０１０１】
図１４は、本変形例において、長方形および正方形の写真画像をレイアウトするための分割パターンの一例を示す図である。図１４では、斜線により示されている矩形の余剰領域７０３がレイアウトされており、その上側には２０個の長方形の写真画像６１１、および１０個の正方形の写真画像６１２がレイアウトされている。
【０１０２】
なお、図１４には印刷領域７０１が示されていないが、前述したように印刷領域７０１は、印刷領域７０１と同様、各写真画像と余剰領域７０３とを包括する最小の矩形領域であるため、その横の長さＲｎおよび縦の長さＲｍは、長方形写真画像の短辺の長さをＰｎとし、その長辺の長さをＰｍとし、余剰領域の縦方向の（短辺の）長さをＭｍとするとき、次式（２）の関係を満たすことになる。
Ｒｎ＝４×Ｐｂ＋２×Ｐａ
Ｒｍ＝５×Ｐａ＋Ｍｍ                  …（２）
【０１０３】
このように、余剰領域７０３を印刷領域７０１の中央ではなく、図の下方に配置する構成であっても、長方形の写真画像６１１と正方形の写真画像６１２とを余剰領域以外の余白（隙間）を生じることなく美しくレイアウトすることができる。
【０１０４】
さらに余剰領域７０３に自動写真作成装置に関連する情報（例えばＵＲＬ）や、宣伝などを示す文字を印刷すれば、上記実施形態と同様に、当該印刷された文字による利用者への情報伝達を図ることができ、余剰領域の有効活用を図ることができる。
【０１０５】
なお、この余剰領域７０３に文字などを印刷しない場合には、印刷領域７０１の端部に接する余剰領域７０３は、印刷不能領域などの額縁領域である余白領域と結果的には同様の状態にあるとも言え、そのため、当該余剰領域が印刷領域７０１の範囲外であるとも言える。しかし、このような余剰領域７０３（または余白領域と結果的には同一となるような余剰領域）が印刷領域内に存在する場合はもとより、存在しない場合であっても、印刷領域７０１の範囲内に長方形の写真画像６１１と正方形の写真画像６１２とを無駄な余白（隙間）を生じることなく美しくレイアウトすることができるという作用を有している。したがって、印刷領域内に余剰領域が配置されない場合であっても、本発明を適用可能であると言える。
【０１０６】
＜６．２  第２の主要な変形例＞
図１５は、本変形例において、長方形および正方形の写真画像をレイアウトするための分割パターンの他の例を示す図である。図１５に示される分割パターンでは、斜線により示されている余剰領域８１３が、図８に示される余剰領域６０３と同様、（図示されていないが図７と同一の）印刷領域の中心を通って上下方向へ架け渡されるようにレイアウトされている。しかし、この余剰領域８１３の形状は、長方形ではなく、隣接する辺が直交する直角多角形となっている。このように図８に示す分割パターンとは異なって、余剰領域８１３の形状が長方形とならないのは、図８を参照して比較すれば分かるように、図８においてレイアウトされる１０個の正方形写真画像６１２のうち、右上と左下に位置する２つの正方形の写真画像６１２が省略され、これらに代えて２つの長方形の写真画像８２１ａ、８２１ｂが配置されているためである。その他の構成は、図７に示す印刷領域および図８に示す分割パターンと同様であるので説明を省略する。
【０１０７】
なお、直角多角形である余剰領域８１３が印刷領域の上下方向へ架け渡されるために必要なことは、当該余剰領域を囲む最小の矩形を想定し、当該矩形の長辺の長さが印刷領域の上下方向に延びる辺（ここでは短辺）の長さに略等しいという条件を満たすことである。また余剰領域８１３が印刷領域の左右方向へ架け渡されるために必要なことは、同様に当該矩形の長辺の長さが印刷領域の左右方向に延びる辺（ここでは長辺）の長さに略等しいという条件を満たすことである。
【０１０８】
この図１５に示されるように、余剰領域８１３の形状が長方形でない直角多角形である場合にも、余剰領域が印刷領域の中心を通って上下方向に架け渡されるように設けられている限り、複数の写真画像を左右２つのグループに分かつように当該余剰領域８１３に沿ってハサミなどで写真画像を切り分けることができる。したがって、このように配置された直角多角形である本変形例における余剰領域８１３もまた、写真画像の一部を利用者が誤って切断してしまうことを防止することができるという作用を有している。
【０１０９】
ただし、この図１５に示される余剰領域８１３の横方向の（最も短い辺の）長さは、図８に示される余剰領域６０３に比べてかなり小さくなっているため、余剰領域８１３は切り取りにくくなっているとも言える。しかし、複数の写真画像を左右２つのグループに分かつための切り取りに必要な最低限の（短辺の）長さ（例えば１ミリ程度）があれば、上記作用を有していると言える。また、余剰領域は、複数の写真画像を左右２つ（またはそれ以上）のグループに分かつことができるものである限り、どのような形状の直角多角形であってもよい。ただし余剰領域は、長方形である方がまっすぐに切り分けやすい点でより好適である。
【０１１０】
なお、写真画像が正方形および長方形の形状を有しており、１つの余剰領域が形成されるように上記写真画像を適宜の位置にレイアウトする場合、当該１つの余剰領域の形状は、長方形を１つ以上組み合わせた直角多角形となる。したがって、２つ以上の余剰領域が形成される場合、典型的には印刷領域内のあちこちに余剰領域が形成される場合に比べて１つのみの余剰領域が（典型的には印刷領域の中心を通るように）形成される場合には、写真画像が美しくレイアウトされる。また、この直角多角形が長方形であれば、より美しくレイアウトされる。
【０１１１】
＜６．３  その他の変形例＞
上記実施形態では、図８（および図９、図１０）に示されるように、余剰領域６０３はは図の左右２つのグループに複数の写真画像を分かつように、印刷領域６０１の中心を通って上下方向に架け渡されるように設けられているが、図の上下２つのグループに複数の写真画像を分かつように、印刷領域６０１の中心を通って左右方向に架け渡されるように設けられていてもよい。
【０１１２】
また、余剰領域は、図の左右２つずつのグループと上下２つずつのグループの合計４つのグループに複数の写真画像を分かつように、印刷領域６０１の中心を通って上下方向と左右方向とにそれぞれに架け渡されるように設けられる長方形を組み合わせた（十字状の）直角多角形であってもよい。このような形状であっても、当該余剰領域に沿ってハサミなどで写真画像を切り分けることができるので、写真画像の一部を誤って切断してしまうことを防止することができるという作用を有している。さらに、余剰領域は、３つまたは５つ以上のグループ数で写真画像を分かつように印刷領域の中心を通って架け渡される長方形を組み合わせた形状であってもよい。
【０１１３】
上記実施形態では、撮影時に正方形用フレームが選択された場合、生成される撮影画像データも正方形の写真を示すものとなるため、落書き対象画像としてそれらが選択される限り、正方形用フレームが選択された回数の整数倍の数の写真画像が正方形写真画像６１２としてレイアウトされ写真シールに印刷されることになる。なお、正方形の撮影画像の取得枚数（または撮影回数）は、フレーム選択などの形で推定される上記構成のほか、撮影時に正方形の撮影画像の数を指定する操作入力を受け付ける構成であってもよい。このように撮影時に正方形の撮影画像の数が指定または推定される構成であれば、レイアウトの選択時に正方形写真画像の数を特に指定する必要がなくなるので、利用者のレイアウト選択が容易になる。また正方形写真画像に対応する正方形の撮影画像が取得されるので、長方形写真画像から正方形写真画像を生成するためのトリミング等の画像処理が必要なくなる。
【０１１４】
もっとも、撮影時に長方形の撮影画像を取得し、当該長方形の撮影画像または合成画像に対してトリミング等の画像処理を自動的にまたは利用者の操作入力に応じて行う構成であっても、長方形および正方形の写真画像を上記のように配置する構成であればよい。そのような構成であれば、余剰領域以外の無駄な余白（隙間）を生じることなく、全ての写真画像を美しくレイアウトすることができる。
【符号の説明】
【０１１５】
３…撮影ユニット
４…編集ユニット
５…出力ユニット
６…ネットワーク（ＬＡＮ）
１０…カメラ
２０…撮影操作用タッチパネル
３０…出力操作用タッチパネル
３１…非接触通信ポート（赤外線ポート）
３２…スピーカ
３５…ネットワークプリンタ
７０…第１の制御部
７２…第１の表示・操作部（撮影操作用タッチパネル）
７５…第１の通信部（ネットワークアダプタ）
８０…第２の制御部
８１，８２…第２の表示・操作部（編集操作用タッチパネル）
９０…第３の制御部
９１…第３の表示・操作部（出力操作用タッチパネル）
９２…印刷出力部（ネットワークプリンタ）
９３…音声出力部（スピーカ）
９４…非接触通信部（非接触通信ポート）
８０…第２の制御部
８１，８２…第２の表示・操作部（編集操作用タッチパネル）
８３…第２の通信部（ネットワークアダプタ）
６００、７００…写真シール
６０１、７０１…印刷領域
６０３、６１３、７０３、８１３…余剰領域
６０４…切り取り線
６１１、６１３、６１４、６１５、７１１、８１１、８２１…長方形写真画像
６１２、７１２、８１２…正方形写真画像
【図１】
2011191516.tif 000003
【図２】
2011191516.tif 000004
【図３】
2011191516.tif 000005
【図４】
2011191516.tif 000006
【図５】
2011191516.tif 000007
【図６】
2011191516.tif 000008
【図７】
2011191516.tif 000009
【図８】
2011191516.tif 000010
【図９】
2011191516.tif 000011
【図１０】
2011191516.tif 000012
【図１１】
2011191516.tif 000013
【図１２】
2011191516.tif 000014
【図１３】
2011191516.tif 000015
【図１４】
2011191516.tif 000016
【図１５】
2011191516.tif 000017